(57)【要約】【課題】高速印刷においても安定した現像能力を実現する。【解決手段】回転する潜像担持体に現像剤を搬送する回転可能に設置された複数の現像剤担持体のうち、少なくとも一対の現像剤担持体が前記潜像担持体の回転方向と逆方向及び同方向に回転し、前記現像剤の搬送量が規制部材により所定量に規制されるように前記一対の現像剤担持体が設置された現像装置において、前記一対の現像剤担持体のうち、前記逆方向に回転する前記潜像担持体の回転方向上流側に設けられた第１現像剤担持体のスリーブの表面粗さを２０μｍ以上、１００μｍ以下とし、前記同方向に回転する前記潜像担持体の回転方向下流側に設けられた第２現像剤担持体のスリーブの表面粗さを５μｍ以上、２０μｍ以下とし、前記現像剤に含まれるキャリア粒径の範囲を３０μｍ以上、６５μｍ以下とすることにより、上記課題を解決する。【選択図】図１
2008145774.tif 000002
【特許請求の範囲】
【請求項１】
回転する潜像担持体に現像剤を搬送する回転可能に設置された複数の現像剤担持体のうち、少なくとも一対の現像剤担持体が前記潜像担持体の回転方向と逆方向及び同方向に回転し、前記現像剤の搬送量が規制部材により所定量に規制されるように前記一対の現像剤担持体が設置された現像装置において、
前記一対の現像剤担持体のうち、前記逆方向に回転する前記潜像担持体の回転方向上流側に設けられた第１現像剤担持体のスリーブの表面粗さを２０μｍ以上、１００μｍ以下とし、前記同方向に回転する前記潜像担持体の回転方向下流側に設けられた第２現像剤担持体のスリーブの表面粗さを５μｍ以上、２０μｍ以下とし、前記現像剤に含まれるキャリア粒径の範囲を３０μｍ以上、６５μｍ以下とすることを特徴とする現像装置。
【請求項２】
前記第１現像剤担持体と前記潜像担持体との現像ギャップを０．６ｍｍ以上、１．２ｍｍ以下とし、前記第２現像剤担持体と潜像担持体との現像ギャップを０．２ｍｍ以上、０．６ｍｍ以下とすることを特徴とする請求項１に記載の現像装置。
【請求項３】
前記第１現像剤担持体と前記潜像担持体との現像ニップ部の磁力を６００Ｇ以上、１２００Ｇ以下とし、前記第２現像剤担持体と前記潜像担持体との現像ニップ部の磁力を８００Ｇ以上、１５００Ｇ以下とすることを特徴とする請求項１又は２に記載の現像装置。
【請求項４】
前記第１現像剤担持体表面には、ＳＵＳ溶射によるメテコロイ処理が施され、前記第２現像剤担持体の表面には、前記第２現像剤担持体の長さ方向に溝が形成されていることを特徴とする請求項１乃至３の何れか１項に記載の現像装置。
【請求項５】
前記請求項１乃至４の何れか１項に記載の現像装置を具備する画像形成装置。
【請求項６】
前記現像装置の印刷動作時のプロセス速度を３００ｍｍ／ｓｅｃ以上とすることを特徴とする請求項５に記載の画像形成装置
【発明の詳細な説明】
【技術分野】
【０００１】
本発明は、現像装置及び該現像装置を用いた画像形成装置に係り、特に、高速印刷においても安定した現像能力を実現するための現像装置及び該現像装置を用いた画像形成装置に関する。
【背景技術】
【０００２】
従来、電子写真方式のプリンタ、複写機等の画像形成装置では、一方向に回転する感光体と呼ばれる潜像担持体上に形成された静電潜像に、現像装置からトナーと呼ばれる像可視化剤を供給することで、上述の静電潜像を可視像化し、そのトナー像を印刷用紙等の記録媒体上に付着させることで印刷を行っている。
【０００３】
また、上述の電子写真方式に適用される現像装置は、例えばトナーやキャリアと呼ばれる磁性粉体からなる二成分現像剤を用いた現像装置が多用されている。この二成分現像剤は、現像装置内の現像剤収容部で攪拌することにより、現像剤中のトナーとキャリアが摩擦しあい、それぞれが所定量に帯電させて用いられている。
【０００４】
また、通常、所定の帯電量に帯電された現像剤は、現像剤を収容する現像剤収容部から、現像スリーブや現像スリーブの内部に固設された複数の磁極からなる現像ロ−ル等の現像剤担持体に導かれる。この現像ロールの表面に供給された現像剤は、磁気ブラシ状態で保持されると共に、現像ロールの回転によって搬送され、現像ロールの外周に近接配置されたドクターブレードと呼ばれる規制部材を通過した後、感光体との対向部である現像領域に搬送される。
【０００５】
このような、二成分現像剤を用いる現像装置においては、様々な構成が提案されているが、特にプロセス速度３００ｍｍ／ｓｅｃ以上の高速印刷プロセスにおいては、静電潜像の現像能力が不足する。そのため、現像能力を増加させる方法として、ハイブリッド方式の現像装置が広く用いられる。ハイブリッド現像方式の現像装置は、通常回転方向が異なる複数の現像ロールを現像領域に対向させて設けた構成をしている。
【０００６】
ここで、本明細書においては、ハイブリッド方式の現像装置を以下に説明するにあたり、便宜上、「順回転現像ロール」及び「逆回転現像ロール」という表現を用いる。「順回転現像ロール」とは、潜像担持体が時計方向に回転するとした場合に反時計方向に回転する現像ロールを意味する。すなわち、現像領域で見た場合に両者の移動方向が同方向となるのが順方向現像ロールである。これに対し、「逆回転現像ロール」とは、潜像担持体が時計方向に回転するとした場合に同じ時計方向に回転する現像ロールを意味する。すなわち、現像領域で見た場合に両者の移動方向が逆方向となるのが逆回転現像ロールである。
【０００７】
例えば、順回転現像ロールと逆回転現像ロールを組み合わせた構成においては、潜像担持体の回転方向の上流側に逆回転現像ロール、下流側に順回転現像ロールが隣接して設置され、更に逆回転現像ロールと順回転現像ロールとの間に両刃のドクターブレードを配置している。このような構成の現像装置は、通常噴水型現像装置と呼ばれている。
【０００８】
この噴水型現像装置は、上述したように現像能力が高く、且つ、現像ロールの回転方向に起因して生じる画像の後端欠け、先端欠け等が発生しにくく、また、ドクターブレードが両刃のものを一つ有していれば良いため、現像機本体をコンパクトにできるという利点がある。したがって、例えば高速カラー印刷装置の場合には、複数印写を用いたタンデム印刷方式が用いられる場合が多く、更に現像機のコンパクト化が必要となるため上述の噴水型現像装置が有利となる。
【０００９】
なお、ドクターブレードは、現像ロールの表面上に保持された現像剤の磁気ブラシを穂切りし、現像領域に搬送される現像剤を適正量に規制する目的で設置されている。したがって、ドクターブレードにて所定量に規制された現像剤は、現像ロールの回転によって搬送され、感光体に対向する位置（現像領域）に運ばれ、現像領域において現像ロール上の現像剤を感光体に接触させながら静電潜像を現像する。このとき、現像ロールには、静電潜像を構成する非画像部と画像形成部のうち、画像形成部にトナーのみを導入し供給するためのバイアス電圧が印加されており、これにより感光体の画像形成部にトナー像が形成される。
【００１０】
なお、上述の噴水型現像装置は、従来では１本の現像ロールで対応できない高速印刷プロセスに採用されている（例えば、特許文献１参照。）。高速印刷プロセスで用いられる現像ロールには、部品の耐久性と現像剤の高速搬送性とが要求される。そのため、現像ロールのスリーブは、一般的に耐磨耗性に優れるＳＵＳ材を用い、且つ、現像剤の保持性を向上させるためスリーブ表面にはＳＵＳ溶射等により適当な粗面化仕上げがなされている。
【特許文献１】特開昭５３−１７７４１号公報（第１−３頁、図２）
【発明の開示】
【発明が解決しようとする課題】
【００１１】
ところで、近年の高画質化、カラー化のニーズに伴い、より高精細画像が得られ易い薄層均一現像が望まれ、現像剤の搬送規制量の低減と均一化が要求されている。その実現策として潜像担持体と現像剤担持体との隙間（以下、「現像ギャップ」という）の狭化及び高精度化が進められており、これは現像ギャップを狭小化することで、潜像担持体表面と現像剤担持体表面との間の最も近接した位置である現像ニップ部の現像電界の潜像エッジ部への集中を防止し、現像を均一化することを目的としている。
【００１２】
しかしながら、上述したＳＵＳ溶射仕上げのように表面粗さを大きく設定した現像ロールで現像ギャップの狭小化を実施した場合、現像剤の保持性は確保でき、高速印刷プロセス下においても良好な現像性が確保することができる反面、そのギャップ精度が得られず、現像ギャップの狭小化（例えば、ギャップ０．３ｍｍ以下）の実現は困難であった。
【００１３】
また、例えば、現像ロールのスリーブ表面粗さをＶ溝加工や微小粒子を用いたブラスト処理によりギャップ精度が確保し易い１０μｍ以下にした場合、その表面の現像剤保持能力が低下してしまい、特に潜像担持体である感光ドラムと逆回転方向に回転するため、大きな負荷がかかる第１現像剤担持体では現像剤のスリップが生じ、現像部への現像剤搬送斑が生じ易くなる。また、この状態で現像ギャップの狭小化を図った場合、現像剤搬送斑のため現像ギャップ部での現像剤詰まり等の不具合を生じさせることになる。
【００１４】
本発明は、上述した問題点に鑑みなされたものであり、高速印刷においても安定した現像能力を実現するための現像装置及び該現像装置を用いた画像形成装置を提供することを目的とする。
【課題を解決するための手段】
【００１５】
上記課題を解決するために、本件発明は、以下の特徴を有する課題を解決するための手段を採用している。
【００１６】
請求項１に記載された発明は、回転する潜像担持体に現像剤を搬送する回転可能に支持された複数の現像剤担持体のうち、少なくとも一対の現像剤担持体が前記潜像担持体の回転方向と逆方向及び同方向に回転し、前記現像剤の搬送量が規制部材により所定量に規制されるように前記一対の現像剤担持体が設置された現像装置において、前記一対の現像剤担持体のうち、前記逆方向に回転する前記潜像担持体の回転方向上流側に設けられた第１現像剤担持体のスリーブの表面粗さを２０μｍ以上、１００μｍ以下とし、前記同方向に回転する前記潜像担持体の回転方向下流側に設けられた第２現像剤担持体のスリーブの表面粗さを５μｍ以上、２０μｍ以下とし、前記現像剤に含まれるキャリア粒径の範囲を３０μｍ以上、６５μｍ以下とすることを特徴とする。
【００１７】
請求項１記載の発明によれば、高速印刷プロセスにおいても現像剤の搬送能力を低下させず、且つ、均一現像を実現することができる。
【００１８】
請求項２に記載された発明は、前記第１現像剤担持体と前記潜像担持体との現像ギャップを０．６ｍｍ以上、１．２ｍｍ以下とし、前記第２現像剤担持体と潜像担持体との現像ギャップを０．２ｍｍ以上、０．６ｍｍ以下とすることを特徴とする。
【００１９】
請求項２記載の発明によれば、ギャップを適切な値に調整することで高い現像性を確保しつつ均一で高精細な現像を実現することができる。
【００２０】
請求項３に記載された発明は、前記第１現像剤担持体と前記潜像担持体との現像ニップ部の磁力を６００Ｇ以上、１２００Ｇ以下とし、前記第２現像剤担持体と前記潜像担持体との現像ニップ部の磁力を８００Ｇ以上、１５００Ｇ以下とすることを特徴とする。
【００２１】
請求項３記載の発明によれば、例えば、均一現像が実現し難いプロセス速度３００ｍｍ／ｓｅｃ以上の高速印刷においても安定した現像能力を確保することができる。
【００２２】
請求項４に記載された発明は、前記第１現像剤担持体表面には、ＳＵＳ溶射によるメテコロイ処理が施され、前記第２現像剤担持体の表面には、前記第２現像剤担持体の長さ方向に溝が形成されていることを特徴とする。
【００２３】
請求項４記載の発明によれば、第１現像剤担持体表面にＳＵＳ溶射によるメテコロイ処理が施すことにより、耐久性に優れ、高速印刷を実現することができる。更に、第２現像剤担持体の表面に現像ロール長さ方向の溝を形成することにより、例えばプロセス速度３００ｍｍ／ｓｅｃ以上の高速印刷においても安定した現像能力を確保することができる。
【００２４】
請求項５に記載された発明は、前記請求項１乃至４の何れか１項に記載の現像装置を具備する画像形成装置である。
【００２５】
請求項５記載の発明によれば、前記請求項１乃至５の何れか１項に記載の現像装置を具備することで、安定した現像能力を確保しながら高速印刷を実現することができる。
【００２６】
請求項６に記載された発明は、前記現像装置の印刷動作時のプロセス速度を３００ｍｍ／ｓｅｃ以上とすることを特徴とする。
【００２７】
請求項６記載の発明によれば、高速印刷においても安定した現像能力を確保することができる。
【発明の効果】
【００２８】
本発明によれば、高速印刷においても安定した現像能力を実現することができる。
【発明を実施するための最良の形態】
【００２９】
以下に、本発明における現像装置及び該現像装置を用いた画像形成装置を好適に実施した形態について、図を用いて説明する。なお、以下の実施例では、一例として、例えば噴水型現像装置に設置された逆回転現像ロール（第１現像剤担持体）と順回転現像ロール（第２現像剤担持体）のスリーブ表面状態と、その現像ロールと潜像担持体である感光ドラムとの現像ギャップを対象とするが、本発明においてはこれに限定されるものではない。
【００３０】
＜実施例１＞
図１は、本発明における現像装置の一構成例を示す図である。図１に示す現像装置１０は、逆回転現像ロール（第１現像剤担持体）１１と、順回転現像ロール（第２現像剤担持体）１２と、ドクターブレード（規制部材）１３と、搬送部材１４と、混合攪拌部材１５，１６と、ブレード１７とを有するよう構成されている。なお、現像剤収容部は、搬送部材１４及び混合攪拌部材１５，１６等により現像剤が攪拌させる領域を示す。
【００３１】
ここで、図１では、本発明の実施例の一形態として、逆回転現像ロール１１及び順回転現像ロール１２により一対の現像剤担持体とした構成とするが、本発明においてはこの限りではなく更に複数の現像剤担持体を有する構成にしてもよい。
【００３２】
図１に示す現像装置１０において、逆回転現像ロール１１及び順回転現像ロール１２は、回転する潜像担持体である感光ドラム１０１に対向して回転可能に設置されている。
逆回転現像ロール１１は、図１に示す矢印Ａ方向で回転する感光ドラム１０１の回転に対して逆方向（矢印Ｂ方向）に回転する。また、順回転現像ロール１２は、感光ドラム１０１の回転に対して順方向（矢印Ｃ方向）に回転するように設置されている。
【００３３】
なお、本実施形態では、潜像担持体としてドラム状の感光体を用いているが、本発明においてはこれに限定されるものではなく、例えば特定の軌道上を周回する感光体ベルトのような構成であってもよい。
【００３４】
なお、逆回転現像ロール１１及び順回転現像ロール１２の内部には、後述するように複数個の磁極を備えている。つまり、図１では、逆回転現像ロール１１及び順回転現像ロール１２の磁極により帯電された現像剤を保持し、更に保持した現像剤を回転により搬送して、感光体１０１上に形成された静電潜像を可視像化する噴水型の現像装置１０の概略例を示している。また、逆回転現像ロール１１及び順回転現像ロール１２の外周部には、それぞれ回転可能な現像スリーブを具備している。
【００３５】
また、ドクターブレード１３は、逆回転現像ロール１１と順回転現像ロール１２との間を通過する現像剤２１を適正量に規制するための規制部材として配置されている。また、搬送部材１４は、図１に示す矢印Ｄ方向に回転して混合攪拌部材１５，１６により撹拌されたトナー及びキャリアからなる現像剤２１を逆回転現像ロール１１及び順回転現像ロール１２側に搬送する。
【００３６】
また、混合攪拌部材１５，１６は、現像剤収容部に供給された現像剤２１を混合攪拌する。また、混合攪拌部材１５，１６は、例えば螺旋状のスクリュー形態となっており、それぞれが図１に示す矢印Ｅ，Ｆ方向に回転することによって現像剤２１を攪拌混合する。
【００３７】
また、ブレード１７は、感光ドラム１０１に現像されずに逆回転現像ロール１１に残った現像剤２１をかき取って再び現像剤収容部内に戻し、混合攪拌部材１５，１６や搬送部材１４によって攪拌させる。
【００３８】
ここで、現像剤２１について説明する。像可視化剤としての現像剤２１には、例えば、プラス帯電性の磁性キャリアと、マイナス帯電性の非磁性トナーと呼ばれる感光ドラム１０１上に可視像を形成する粉体とにより構成されている。また、現像剤２１は、全重量の２〜１０％の重量比でトナーが混合されているが、印刷動作により現像剤２１中のトナーのみが消費されるため、現像剤収容部内にある現像剤２１中のトナー重量比が低減する。このため、現像装置１０には、トナー貯留供給装置２２に貯留されているトナー２３が現像剤収容部に供給される。
【００３９】
また、現像剤２１中のトナーは、混合攪拌部材１５，１６で搬送攪拌されることによって、現像在中のキャリアと摩擦帯電し、所定の値に帯電する。ここで、本実施形態で用いられる現像剤２１は、例えば、粒径６５μｍのＭｇＦｅキャリアと、粒径６．８μｍのポリエステル系トナーとし、トナー濃度は４．５％としている。また、このトナーの帯電量は−２０μＣ／ｇ〜−３０μＣ／ｇである。
【００４０】
このように、所定の帯電量に帯電したトナーを含有した現像剤２１は、更に搬送部材１４が矢印Ｄ方向に回転することによって、搬送部材１４の上側を通過して図１に示す感光ドラム１０１側に搬送され、順回転現像ロール１２の近傍に導かれる。
【００４１】
ここで、逆回転現像ロール１１及び順回転現像ロール１２には、上述したように内部に複数個の磁極が固定して設置されており、また外周部にはそれぞれ回転可能な現像スリーブを具備している。このため、順回転現像ロール１２の近傍にある現像剤２１は、マグネットの磁力と現像スリーブの回転によりドクターブレード１３まで搬送される。
【００４２】
その後、現像剤２１は、ドクターブレード１３の端部で分流し、一部は順回転現像ロール１２に、その他は上方に隣接した逆回転現像ロール１１へと搬送された後、逆回転現像ロール１１及び順回転現像ロール１２とドクターブレード１３とで形成されるドクターギャップ２４を通過する。このとき、現像剤２１は、ドクターブレード１３での通過量規制によって所定量に規制され、それぞれの現像ロールの表面と感光ドラム１０１表面との間の最も近接した位置である現像ニップ部に導かれる。
【００４３】
現像ニップ部へ導かれた現像剤２１は、感光ドラム１０１の表面を摺擦し、帯電、露光工程により感光ドラム１０１の表面上に形成された静電潜像に対応したトナー像を形成する。その後、感光ドラム１０１上の可視トナー画像は、転写工程により用紙等の記録媒体に印刷された後、定着工程により用紙上に固着される。
【００４４】
ここで、上述したような現像装置１０における一連の印刷動作において、現像装置１０が所定の現像性能を得るためには、現像ニップ部において、特に逆回転現像ロール１１及び順回転現像ロール１２における現像剤２１の安定した搬送、及び現像能力の確保、更に現像電界の集中によるエッジ効果の低減を行う必要がある。
【００４５】
ここで、図２は、現像装置における感光ドラムと各現像ロールとで構成される現像ニップ部の一例を示す拡大図である。
【００４６】
ここで、本実施例において、逆回転現像ロール１１の現像スリーブ３１には、その表面がＳＵＳ溶射によるメテコロイ処理が施されている。これにより、耐久性に優れ、高速印刷を実現することができる。また、現像スリーブ３１の表面粗さは十点平均粗さＲａ（１）で約７０μｍとし、現像ニップ部（主極）の磁力は１２００Ｇに設定し、感光ドラム１０１と現像スリーブ３１との現像ギャップＧ１は１．０ｍｍに設定されている。
【００４７】
また、順回転現像ロール１２の現像スリーブ３２は、ロール表面を粒径５μｍのガラスビーズによるショットブラスト処理が施されている。また、現像スリーブ３２の表面粗さは十点平均粗さＲａ（２）で約６μｍとし、現像ニップ部（主極）の磁力は１５００Ｇに設定し、感光ドラム１０１と該現像スリーブ３２との現像ギャップＧ２は０．５ｍｍに設定されている。
【００４８】
また、逆回転現像ロール１１及び順回転現像ロール１２には、図２に示すようにそれぞれの内部にＮ極とＳ極を交互に着磁したマグネット（磁極）が固定して設置されている。このマグネットの磁力と現像スリーブの回転により現像剤２１が効率的に搬送される。
【００４９】
ここで、上述した条件で現像スリーブ３１と備えた逆回転現像ロール１１と，現像スリーブ３２を備えた順回転現像ロール１２を有する現像装置１０を、画像形成装置としての高速印刷装置（プロセス速度：５００ｍｍ／ｓｅｃ等）に搭載し、高印刷密度の印刷パターンにて連続印刷実験を行い、その現像特性について検討した結果について、以下に説明する。なお、印刷実験時の各設定条件は以下の通りである。
【００５０】
＜設定条件＞
・感光ドラム１０１：ＯＰＣドラム（外径：φ１００ｍｍ）、周速５００ｍｍ／ｓｅｃ
・現像スリーブ３１，３２：外径φ４０ｍｍ、周速６００ｍｍ／ｓｅｃ
・現像ギャップＧ１：１．０ｍｍ
・現像ギャップＧ２：０．５ｍｍ
・現像剤２１：キャリア平均粒径６５μｍ、トナー平均粒径６．８μｍ、トナー濃度４．５ｗｔ％（黒トナー）
・印刷パターン：１インチ角ベタパッチ（印刷密度：１００％）
上述の印刷条件にて、３０００頁の連続印刷実験を行い、そのときの１インチベタ印刷（印刷密度１００％）の画像エッジ部からの距離（約３ｍｍ）の画像濃度分布測定結果について図を用いて説明する。
【００５１】
図３は、実施例１における画像濃度分布測定結果の一例を示す図である。また、参考として、図４は、従来の画像濃度分布測定結果の一例を示す図である。なお、図３及び図４において、横軸はエッジからの距離（Ｐｏｓｉｔｉｏｎ）を示し、縦軸は画像密度（Ｉ．Ｄ．：Ｉｍａｇｅ  Ｄｅｎｓｉｔｙ）を示している。
【００５２】
なお、上述した測定結果において、濃度測定は、ＵＮＩＯＮ  ＯＰＴＩＣＡＬ社のマイクロ−フォトメータ（ＭＰＭ−Ｎｏ．２０９）を用い、測定条件は受光スリット幅：５０μｍとした。また、本発明との比較として用いられる従来技術の条件は、逆回転現像ロール１１及び順回転現像ロール１２のスリーブは共に上述したメテコロイ処理を行い、両現像ロールの現像ギャップＧ１，Ｇ２は共に０．８ｍｍとし、その他の印刷条件は、上述した実施例と同一とした。
【００５３】
図３に示すように、本実施例で用いたスリーブ条件では、ベタ画像の画像濃度はベタ画像で平均Ｉ．Ｄ．が１．２以上確保されつつ、図４に現れるような画像端部での濃度上昇が認められなかった。また、濃度バラツキΔＩ．Ｄ．は、０．０６以下で均一濃度の画像が形成できていることが確認できた。
【００５４】
また、上述した印刷条件による３０００頁の連続印刷においても、この均一現像性は確保でき、逆回転現像ロール１１及び順回転現像ロール１２における現像ニップ部での現像剤２１の目詰まりも生じず、安定した現像性を確保することができる。
【００５５】
なお、本実施例において、上述した印刷実験の他に例えば順回転現像ロール１２の磁力を１５００Ｇとし、逆回転現像ロール１１の現像ニップ部（主極）の磁力を５００Ｇ、６００Ｇ、８００Ｇ、１２００Ｇ、１３００Ｇと変えて、横線パターン（印刷密度３０％）の２０頁印刷実験を行い、その画質評価を行った。
【００５６】
その結果、逆回転現像ロール１１の現像ニップ部（主極）の磁力が６００Ｇ〜１２００Ｇでは画質不良がなく、良好な印刷品質が得られたが、５００Ｇの場合は印刷サンプル上にキャリア飛散に起因する画質欠陥（白抜け）が多数発生（３０個／２０頁）した。また、逆回転現像ロール１１の現像ニップ部（主極）の磁力が１３００Ｇの場合は現像ロール回転方向（印刷した線画と直行方向）に筋状濃度ムラが発生した。これは現像ブラシ筋の影響と考えられる。
【００５７】
更に、逆回転現像ロール１１の磁力を１２００Ｇとし、順回転現像ロール１２の現像ニップ部（主極）の磁力を７００Ｇ、８００Ｇ、１０００Ｇ、１２００Ｇ、１４００Ｇ、１５００Ｇ、１６００Ｇと変えて、同様の画質評価試験を実施した結果、順回転現像ロール１２の現像ニップ部（主極）の磁力が８００Ｇ〜１５００Ｇでは画質不良がなく、良好な印刷品質が得られたが、７００Ｇの場合は印刷サンプル上にキャリア飛散に起因する画質欠陥（白抜け）が多数発生（約３０個／２０頁）した。また、逆回転現像ロール１１の現像ニップ部（主極）の磁力が１６００Ｇの場合は、現像ロール回転方向（印刷した線画と直行方向）に筋状濃度ムラが発生した。
【００５８】
＜実施例２＞
次に、本発明を適用した上述した実施例とは異なる他の実施例（実施例２）について説明する。なお、実施例２における現像装置の装置構成は、上述した実施例１と略同様であるため、上述した図１及び図２を適用するものとし、ここでの説明は省略する。
【００５９】
実施例２において、実施例１と同様に逆回転現像ロール１１の現像スリーブ３１には、その表面にＳＵＳ溶射によるメテコロイ処理が施されたＳＵＳ現像ロールとなっている。また、現像スリーブ３１の表面粗さは十点平均粗さＲａ（１）で約１００μｍとし、現像ニップ部（主極）の磁力は６００Ｇに設定され、感光ドラム１０１との現像スリーブ３１との現像ギャップＧ１は１．２ｍｍに設定されている。
【００６０】
また、順回転現像ロール１２の現像スリーブ３２は、例えばＳＵＳ現像ロール表面の回転軸に平行な方向に深さ０．１ｍｍ、幅０．２ｍｍ、溝ピッチ０．５ｍｍのＶ溝仕上げ構造となっている。また、現像スリーブ３２の表面粗さは十点平均粗さＲａ（２）で約５μｍとし、現像ニップ部（主極）の磁力は８００Ｇに設定され、感光ドラム１０１との現像スリーブ３２との現像ギャップＧ２は０．６ｍｍに設定されている。
【００６１】
次に、上述した条件を設定した現像装置１０を実施例１と同様の高速印刷装置に搭載し（但し、プロセス速度は、７５０ｍｍ／ｓｅｃに設定する）、上述した実施例１と同様の印刷条件で連続印刷の実験を行った。ここで、１インチベタ印刷（印刷密度１００％）のエッジ部からの距離における画像濃度分布測定結果について図を用いて説明する。
【００６２】
図５は、実施例２における画像濃度分布測定結果の一例を示す図である。なお、図５において、横軸はエッジからの距離（Ｐｏｓｉｔｉｏｎ）を示し、縦軸は画像密度（Ｉ．Ｄ．：Ｉｍａｇｅ  Ｄｅｎｓｉｔｙ）を示している。
【００６３】
図５に示すように、実施例２における画像濃度は、ベタ画像で平均Ｉ．Ｄ．が１．２以上となった。また、エッジ部から中央部の画像濃度バラツキΔＩ．Ｄ．は、０．１３以下となり良好な結果が得られた。また、上述した印刷条件による３０００頁の連続印刷においても、現像剤２１の目詰まりもなく、安定した現像剤の搬送が得られていることが確認できた。
【００６４】
＜実施例３＞
次に、本発明を適用した上述した実施例とは異なる他の実施例（実施例３）について説明する。なお、実施例３における現像装置の装置構成は、上述した実施例１、２と略同様であるため、上述した図１及び図２を適用するものとし、ここでの説明は省略する。
【００６５】
実施例３において、逆回転現像ロール１１の現像スリーブ３１には、ＳＵＳ現像ロール表面に粒径２５μｍのガラスビーズによるショットブラスト処理が施されている。また、現像スリーブ３１の表面粗さは十点平均粗さＲａ（２）で約２０μｍとし、現像ニップ部（主極）の磁力は１０００Ｇに設定され、感光ドラム１０１との現像スリーブ３１との現像ギャップＧ１は０．６ｍｍに設定されている。
【００６６】
また、順回転現像ロール１２の現像スリーブ３２は、ＳＵＳ現像ロール表面に粒径８μmのガラスビーズによるショットブラスト処理が施されている。また、現像スリーブ３２の表面粗さは十点平均粗さＲａ（２）で約１０μｍとし、現像ニップ部（主極）の磁力は１０００Ｇに設定され、感光ドラム１０１との現像スリーブ３２との現像ギャップＧ２は０．２ｍｍに設定されている。
【００６７】
次に、上述した条件に設定した現像装置１０を実施例１と同様の高速印刷装置に搭載し（但し、プロセス速度は３００ｍｍ／ｓｅｃに設定する）、実施例１と同様の印刷条件で連続印刷実験を行った。ここで、１インチベタ印刷（印刷密度１００％）のエッジ部からの距離における画像濃度分布測定結果について図を用いて説明する。
【００６８】
図６は、実施例３における画像濃度分布測定結果の一例を示す図である。なお、図６において、横軸はエッジからの距離（Ｐｏｓｉｔｉｏｎ）を示し、縦軸は画像密度（Ｉ．Ｄ．：Ｉｍａｇｅ  Ｄｅｎｓｉｔｙ）を示している。
【００６９】
図６に示すように、実施例３における画像濃度は、ベタ画像で平均Ｉ．Ｄ．が１．２以上となった。また、エッジ部から中央部の画像濃度バラツキΔＩ．Ｄ．は、０．１１以下となり良好な結果が得られた。また、上述した印刷条件による３０００頁の連続印刷においても現像剤２１の目詰まりもなく、安定した現像剤の搬送が得られていることが確認できた。
【００７０】
＜範囲の設定＞
上述した実施例によれば、逆回転現像ロール１１及び順回転現像ロール１２、並びに両方の現像ロールの間に近接配置され、現像剤２１の搬送量を規制するドクターブレード１３を備えた二成分現像剤方式の噴水型の現像装置１０において、逆回転現像ロール１１の現像スリーブ３１の表面粗さは、十点平均粗さＲａ（１）で２０μｍ以上、１００μｍ以下に設定することが好ましい。
【００７１】
また、その下流に配設される順回転現像ロール１２の現像スリーブ３２の表面粗さは、十点平均粗さＲａ（２）で５μｍ以上、２０μｍ以下に設定することが好ましい。更に、本発明に用いられる現像剤のキャリア粒径は、３０μｍ以上、６５μｍ以下にし、且つ、逆回転現像ロール１１と感光ドラム１０１との現像ギャップＧ１は、０．６ｍｍ以上、１．２ｍｍ以下とし、順回転現像ロール１２と感光ドラム１０１の現像ギャップＧ２は、０．２ｍｍ以上、０．６ｍｍ以下にすることが好ましい。これにより、高速印刷プロセスにおいても現像剤の搬送能力を低下させず、且つ、均一現像を実現することができる。
【００７２】
また、上述した印刷条件を具現化するに最も適当な現像ロールの表面処理条件は、逆回転現像ロール１１の現像ニップ部の磁力を６００Ｇ以上、１２００Ｇ以下、順回転現像ロール１２の現像ニップ部の磁力を８００Ｇ以上、１５００Ｇ以下に設定することが好ましい。更に、逆回転現像ロール１１の表面には、ＳＵＳ溶射によるメテコロイ処理がなされ、順回転現像ロール１２の表面には、順回転現像ロール１２の長さ方向に例えばＶ字等の溝が複数形成されていることが好ましい。
【００７３】
これにより、現像スリーブ３１上での現像剤２１の保持性を確保でき、感光ドラム１０１との周速比が大きく、現像ストレスが大きい現像条件下でも安定した現像剤の搬送が実現でき、高い現像能力が確保することができる。また、順回転現像ロール１２での追加現像時には、狭い現像ギャップ時での現像が実現でき、エッジ効果が少ない均一現像を実現することができる。また、現像スリーブ３２の表面が小さいため、感光ドラム１０１との現像ギャップＧ２が高精度で確保することができる。
【００７４】
また、感光ドラム１０１との現像ギャップＧ２部分においては、感光ドラム１０１と順回転現像ロール１２とが同じ方向（上から下）に回転するため、現像剤２１を少ないストレスで狭い現像ギャップ間に搬送させることができる。したがって、プロセス速度３００ｍｍ／ｓｅｃ以上の高速印刷においても安定した現像能力を確保することができる。
【００７５】
ここで、上述した現像ギャップＧ１が０．６ｍｍより小さい場合、又は現像ギャップＧ２が０．２ｍｍより小さい場合には、現像ギャップ部に現像剤２１が溜まり易くなり、目詰まり不良を生じる恐れがある。また、現像ギャップＧ１が１．２ｍｍより大きい場合には、現像能力の低下が生じ易い。更に、現像ギャップＧ２が０．６ｍｍより大きい場合には、現像電界集中によるエッジ効果の影響を受け易く、現像均一性が失われ易くなる。
【００７６】
更に、現像スリーブ３１の表面粗さＲａ（１）が１０μｍより小さい場合には、現像剤２１の保持性が低下し、該現像スリーブ３１上での現像剤スリップが生じ易くなる。また、表面粗さＲａ（１）が１００μｍより大きい場合には、スリーブ表面の凹凸が現像斑として現れる恐れがある。
【００７７】
また、現像スリーブ３２の表面粗さＲａ（２）が２０μｍより大きい場合には、上述したように現像ギャップＧ２を高精度で設定することが難しくなると共に、スリーブ表面の凹凸が現像斑として現れる恐れがある。また、表面粗さＲａ（２）が５μｍより小さい場合には、現像ニップ部でのストレスが逆回転現像ロール１１よりも小さい順回転現像ロール１２においても、現像剤２１の保持性が低下し、現像スリーブ３１上での現像剤スリップが生じ易くなる。
【００７８】
また、逆回転現像ロール１１及び順回転現像ロール１２における各現像ニップ部位置の磁力が低すぎる場合には、キャリアの磁気吸着力が低下し、キャリア飛散の問題が生じる。また、各現像ニップ部位置の磁力が高すぎる場合には、現像磁気ブラシが固くなり過ぎ、その過剰摺擦により現像筋等の画質低下を生じ易くなる。つまり、この現像ロールの磁力設定は、表面粗さＲａ（１）が大きい逆回転現像ロール１１では現像剤保持能力が高いことと、逆回転であるため低ロール回転数でも感光体との周速比を確保することができることから上述したような比較的低めの磁力設定とすることが好ましい。
【００７９】
一方、順回転現像ロール１２は、順方向回転のため感光体との逆回転現像ロール１１並みの周速比を確保するには、逆回転現像ロール１１よりも高速で回転させる必要があり、更に回転によるキャリア飛散を防止するために上述したような大きな磁力設定が必要となる。
【００８０】
このような設定を適用することにより、例えば均一現像が難しいプロセス速度３００ｍｍ／ｓｅｃ以上の高速印刷においても安定した現像能力を確保することができる。
【００８１】
＜画像形成装置＞
次に、本発明における現像装置を具備する画像形成装置の構成例について図を用いて説明する。図７は、本発明の現像装置を適用した画像形成装置の一構成例を示す図である。図７に示す画像形成装置１００は、感光ドラム１０１と、帯電装置１０２と、光走査装置１０３と、現像装置１０と、搬送装置１０４と、転写装置１０５と、清掃装置１０６と、定着装置１０７とを有するよう構成されている。また、図７に示す画像形成装置１００は、記録媒体としての印刷用紙１０８に所定の画像を形成するものである。
【００８２】
図７に示す画像形成装置１００は、トナー像を形成するための潜像担持体であるドラム形状の感光ドラム１０１を所定の方向に回転駆動させる。この感光ドラム１０１は、帯電装置１０２で特定の極性に均一に帯電された後、光走査装置１０３からの光線により露光され、静電潜像が形成される。
【００８３】
また、感光ドラム１０１における光走査装置１０３に対する回転下流側には、上述した本発明における現像装置１０が配置されている。現像装置１０は、感光ドラム１０１上に所定のトナー像を現像する。ここで、印刷用紙１０８は、搬送装置１０４により搬送される。転写装置１０５は、印刷用紙１０８の背面にトナーと逆極性の帯電を行い、感光ドラム１０１上のトナー像を印刷用紙１０８上に転写する。また、転写処理後、転写されなかったトナーは、清掃装置１０６で除去される。
【００８４】
感光ドラム１０１からトナー像を転写した印刷用紙１０８は、定着装置１０７へ搬送される。定着装置１０７は、具体的には一定温度に加熱制御したヒートローラ１０７−１とヒートローラ１０７−１に圧接する加圧ローラ１０７−２とから構成されている。ここを通過するとき、印刷用紙１０８上に保持されたトナー像は、加圧溶融され印刷用紙１０８上に定着される。この定着処理後、印刷用紙１０８は、画像形成装置１００の外部に排出され印刷が完了する。
【００８５】
ここで、画像形成装置１００に本発明の現像装置１０を具備することにより、高速印刷プロセスにおいても現像剤の搬送能力を低下させず、且つ、均一現像を実現することができる。
【００８６】
上述したように、本発明によれば、高速印刷においても安定した現像能力を実現することができる。具体的には、例えば、高速印刷プロセスでの現像性が確保し易い噴水型現像装置を用いても、カラー印刷に要求される薄層均一現像を実現することができる。したがって、高速印刷プロセスにおいても現像剤の搬送能力を低下させず、且つ、均一現像による高精細画像を実現することができる。
【００８７】
なお、本発明は、デジタル複写機やレーザプリンタ等の画像形成装置全般に広く適用することができる。
【００８８】
以上本発明の好ましい実施形態について詳述したが、本発明は係る特定の実施形態に限定されるものではなく、特許請求の範囲に記載された本発明の要旨の範囲内において、種々の変形、変更が可能である。
【図面の簡単な説明】
【００８９】
【図１】本発明における現像装置の一構成例を示す図である。
【図２】現像装置における感光ドラムと各現像ロールとで構成される現像ニップ部の一例を示す拡大図である。
【図３】実施例１における画像濃度分布測定結果の一例を示す図である。
【図４】従来の画像濃度分布測定結果の一例を示す図である。
【図５】実施例２における画像濃度分布測定結果の一例を示す図である。
【図６】実施例３における画像濃度分布測定結果の一例を示す図である。
【図７】本発明の現像装置を適用した画像形成装置の一構成例を示す図である。
【符号の説明】
【００９０】
１０  現像装置
１１  逆回転現像ロール
１２  順回転現像ロール
１３  ドクターブレード
１４  搬送部材
１５，１６  混合攪拌部材
１７  ブレード
２１  現像剤
２２  トナー貯留供給装置
２３  トナー
１００  画像形成装置
１０１  感光ドラム
１０２  帯電装置
１０３  光走査装置
１０４  搬送装置
１０５  転写装置
１０６  清掃装置
１０７  定着装置
１０８  印刷用紙
【図１】
2008145774.tif 000003
【図２】
2008145774.tif 000004
【図３】
2008145774.tif 000005
【図４】
2008145774.tif 000006
【図５】
2008145774.tif 000007
【図６】
2008145774.tif 000008
【図７】
2008145774.tif 000009